(57)【要約】【課題】  本発明は、所要の被包装物を密封状に極めて衛生的にシュリンク包装せしめることが出来るのみならず、容易に破断開封せしめることが出来る、シュリンク包装材を提供するものである。【解決手段】所要の幅と長さを備えたシュリンクフィルム２に未貫通状とされた所要条の破断用条痕３が帯状に形成されてなり、上記シュリンクフィルム２を所要の被包装物にオ−バ−ラップ状にシュリンク包装せしめると共に、条痕３を押圧して破断開封せしめるべく構成されている。【選択図】図２
2008155920.tif 000002
【特許請求の範囲】
【請求項１】
所要の幅と長さを備えたシュリンクフィルムに未貫通状とされた所要条の破断用条痕が
帯状に形成されてなり、上記シュリンクフィルムを所要の被包装物にオ−バ−ラップ状に
シュリンク包装せしめると共に、条痕を押圧して破断開封せしめるべく構成されてなるこ
とを特徴とする、シュリンク包装材。
【請求項２】
上記シュリンクフィルムの厚さが１２〜２０μｍであることを特徴とする、請求項１記
載のシュリンク包装材。
【発明の詳細な説明】
【技術分野】
【０００１】
本発明は、シュリンク包装材に関し、更に詳細には、所要の被包装物を密封状にシュリ
ンク包装せしめることが出来るのみならず、容易に破断開封せしめることが出来る、シュ
リンク包装材に関する。
【背景技術】
【０００２】
従来より、ポリエチレンやポリプロピレンなどの熱可塑性樹脂フィルムを二軸延伸加工
せしめたシュリンクフィルムは軽量で気密性に優れ、高強度で取扱いに便利であるほか、
単に熱融着せしめるだけで簡単に密封することが出来るため、食品、薬品、液状、粉末、
ぺ−スト状、固形状など多岐にわたる種類、形状の商品のシュリンク包装材として広く用いられている。
ところで、かかるシュリンク包装材は、包装材として優れた長所を有する反面、シュリ
ンク包装物を開封せしめるさいにはかかる長所が逆に引裂き抵抗となって破り難く、非常
に開封が困難であるという問題を生起せしめている。
【０００３】
かかるシュリンク包装材の問題点を解決するものとして、例えばシュリンク包装材に破
断用ミシン目を貫通状に形成せしめたもの（特許文献１，２）、あるいは、シュリンク包
装材に微細な多数の傷痕を貫通状に形成せしめたもの（特許文献３）などが提案されてい
る。
そして、上述の如く構成された従来例は、ミシン目や傷痕を指先で押圧せしめることに
よりシュリンク包装体を容易に破断開封せしめることが出来るものである。
【特許文献１】特開２００６−４４７９７号公報
【特許文献２】特開２００６−２７６５１５号公報
【特許文献１】特開２００４−３１５０５５号公報
【発明の開示】
【発明が解決しようとする課題】
【０００４】
ところで、上述の如く構成された従来例は、ミシン目や傷痕を押圧せしめて容易に破断
開封せしめることが出来る反面、予めシュリンク包装材に貫通状のミシン目や傷痕を形成
せしめるものであるから、シュリンク包装時の加熱収縮に伴う歪力を受けてミシン目や傷
痕が変形しやすいのみならず、シュリンク包装後においてもミシン目や傷痕を通して埃や
雑菌が侵入しやすいものであって、ひいては、被包装物の汚損や被包装物の充填物に悪影
響を及ぼしやすく、衛生上などの点においても不都合を生じやすいものである。
【０００５】
本発明はかかる従来例の問題点を解決し、所要の被包装物を密封状に極めて衛生的にシ
ュリンク包装せしめることが出来るのみならず、容易に破断開封せしめることが出来る、
シュリンク包装材を提供しようとするものである。
【課題を解決するための手段】
【０００６】
上記の目的を達成するため、本発明の請求項１記載の発明は、所要の幅と長さを備えた
シュリンクフィルムに未貫通状とされた所要条の破断用条痕が帯状に形成されてなり、上
記シュリンクフィルムを所要の被包装物にオ−バ−ラップ状にシュリンク包装せしめると
共に、条痕を押圧して破断開封せしめるべく構成されてなることを特徴とする、シュリン
ク包装材を要旨とするものである。
【０００７】
上記請求項１記載のシュリンク包装材において、シュリンクフィルムはその厚さが１２
〜２０μｍとされている。
【発明の効果】
【０００８】
本発明の請求項１記載の発明は、上述の如くシュリンクフィルムに未貫通状とされた所
要条の破断用条痕が帯状に形成されているから、所要の被包装物をシュリンク包装せしめ
るさいにおいても加熱収縮に伴って条痕が変形するおそれがなく、また、シュリンク包装
後においても埃や雑菌等の侵入のおそれが全くないものであって、ひいては、被包装物の
汚損や被包装物の充填内容物に悪影響を及ぼすおそれがなく、極めて衛生的である。しかも、被包装物の開封時には、条痕を指先で押圧せしめることにより容易に破断開封せしめることが出来るものである。
【発明を実施するための最良の形態】
【０００９】
以下に、本発明を実施するための最良の形態を図面に示す一実施例に基づいて詳細に説
明する。   
図１及び図２は本発明の一実施例を示すもので、同図中、１は所要の幅と長さを備えた
シュリンク包装材、２は該シュリンク包装材１を構成するシュリンクフィルム、３は該シ
ュリンクフィルム２の長手方向に沿って形成された所要条の破断用凹状条痕で、該凹状条
痕３は薄肉な未貫通状に形成されると共に、隣あう条痕３は千鳥足状に配置されている。
【００１０】
そして、上記シュリンクフィルム２は、熱可塑性樹脂フィルムを二軸延伸加工せしめた
もので、その材質としては一般的に熱収縮性のポリエチレンテレフタレ−トフィルム、ポリスチレンフィルム、ポリプロピレンフィルム、低密度ポリエチレンフィルム、中密度ポリエチレンフィルム、高密度ポリエチレンフィルム、低密度直鎖状ポリエチレンフィルム
、環状ポリオレフィンフィルム、エチレン−プロピレン共重合体・エチレン−酢酸ビニル共重合体・アイオノマ−樹脂・エチレン−アクリル酸共重合体・エチレン−アクリル酸メチル共重合体等の樹脂から製膜されたポリオレフィン系フィルム、塩素化ポリエチレン・塩素化ポリプロピレンなどの樹脂から製膜された変性ポリオレフィンフィルム、塩化ビニル−酢酸ビニル共重合体の樹脂から製膜されたフィルム、アクリル樹脂系フィルム等を挙げることができ、これら同一素材よりなる単層状のもの、あるいは異種素材を多層状にしたものを用いる。かかるシュリンクフィルム２の厚さは、好ましくは１２〜２０μｍであり、１２μｍ以下の場合には適正な条痕加工が困難であり、２０μｍ以上の場合にはスム−ズな破断がしずらいものである。また、凹状条痕３を構成する凹のピッチは０．２〜３．０ｍｍ、条数は３〜７、条痕幅は１〜２０ｍｍが好ましい。
【００１１】
次に、上記シュリンク包装材１を加工せしめるさいの一例を図３に基づいて説明する。
即ち、同図中、４は外周面に所要条の微細な凸部５を備えた円形状の回転刃、６は該回転刃４に対応すべく所定の間隙をもって対設された受けロ−ラである。
そして、ロ−ル巻き状のシュリンクフィルム２を受けロ−ラ６上に順次送り込み、回転
刃４を所要の回転速度でもって回転作動せしめつつ、順次シュリンクフィルム２に所要条の未貫通な凹状条痕３を帯条に形成せしめ、シュリンク包装材１を加工せしめるものである。このさい、加工速度は８０〜１５０ｍ／分が好ましい。    
【００１２】
上記実施例に示すシュリンクフィルム包装材１は、紙コップ容器、シ−ト成型容器、インジェクション容器、ビ−ズ容器、あるいはガラス容器など所要の容器に充填せしめた食品、薬品、液状、粉末状、ペ−スト状、固形状など多岐にわたる種類、形状の商品を個々に、あるいは複数個を並列状にオ−バ−ラップせしめつつシュリンク包装せしめることが出来るものであり、その一例として図４〜図６に示す具体的一例について説明するが、これに限定されるものではない。   
【００１３】
図４はプリンやヨ−グルトなどを密封充填せしめた小カップ状容器７を並列せしめつつ
、台紙８を介してシュリンク包装材１により公知のシュリンク包装手段でもってオ−バ−ラップ状にシュリンク包装せしめた状態を示すもので、破断用凹状条痕３は相隣る容器７間の空隙部９に位置せしめられている。このさい、破断用凹状条痕３は未貫通状とされているから、シュリンク包装時においても加熱収縮に伴って条痕３が変形するおそれがなく
、また、包装後においても埃や雑菌等の侵入のおそれが全くないものであって、ひいては
、容器７外表面の汚損や充填物自体に悪影響を及ぼすおそれは全くなく、極めて衛生的である。
【００１４】
そして、並列状にシュリンク包装せしめた容器７を開封せしめるさいには、片方の手で
もって把持せしめると共に、他方の手の指先を空隙部９に位置する条痕３に当てがいつつ押圧せしめ、条痕３を中心として破断開封せしめるものである。
【００１５】
図５及び図６は、ラ−メンなどを密封充填せしめたカップ容器１０を個々にシュリンク
包装材１でもってオ−バ−ラップ状にシュリンク包装せしめた状態を示すもので、破断用
凹状条痕３はカップ容器１０の底壁１１外面と糸尻１２との間の空隙部１３に位置せしめ
られている。このさい、破断用凹状条痕３は未貫通状とされているから、上記使用例と同
様に、シュリンク包装時においても条痕３が変形するおそれがないのみならず、埃や雑菌などの侵入のおそれがなく、極めて衛生的である。
【００１６】
そして、シュリンク包装せしめたカップ容器１０を開封せしめるさいには、片方の手で
把持せしめると共に、他方の手の指先をカップ容器１０の底壁１１外面と糸尻１２との間
の空隙部１３に位置する条痕３に当てがいつつ押圧せしめ、条痕３を中心として破断開封せしめるとよい。  
【００１７】
なお、上記実施例において、未貫通状とされた切断用条痕３は凹形状とされているが、
これに限定されるものではなく、凸形状、あるいは凹凸形状に形成せしめてもよいもので
ある。また、相隣る条痕３は千鳥足状に配置されているが、これに限定されるものではな
く、位相をずらすなど公知の配置状態を採択することが出来るものである。
【図面の簡単な説明】
【００１８】
【図１】本発明の一実施例を示す一部拡大平面図である。
【図２】図１のＩ−Ｉ線に沿う拡大断面図である。
【図３】実施例のシュリンク包装材１の加工状態を示す概略図である。
【図４】実施例の使用状態を示す斜視図である。
【図５】実施例の他の使用状態を示す斜視図である。
【図６】図５のＡ部拡大断面図である。
【符号の説明】
【００１９】
１  シュリンク包装材
２  シュリンクフィルム
３  条痕
【図１】
2008155920.tif 000003
【図２】
2008155920.tif 000004
【図３】
2008155920.tif 000005
【図４】
2008155920.tif 000006
【図５】
2008155920.tif 000007
【図６】
2008155920.tif 000008